(57)【特許請求の範囲】
【請求項１】
スポーツシューズ（２）、特にフットボールシューズのためのアウトソール（１）であって、フロントソール領域（３）およびヒール領域（４）に一体成形されたスタッド（５）が設けられており、該スタッド（５）が、そのベース（６）から接地面（７）に向かって円錐形に先細りにされて延びている形式のものにおいて、
ヒール領域（４）のソールエッジ領域（１２）に設けられた複数のスタッド（５’）の高さ（ｈｒｅｄ）が、ヒール領域（４）のソールエッジ領域（１２）に設けられた別のスタッド（５’’）の平均的な高さ（ｈｎｏｒｍ）に比べて減じられており、スポーツシューズ（２）が地面に位置している場合に、高さに関して減じられたスタッド（５’）が、地面に向けられていることを特徴とする、スポーツシューズのためのアウトソール。
【請求項２】
高さに関して減じられたスタッド（５’）が、高さに関して減じられていないスタッド（５’’）の平均的な高さ（ｈｎｏｒｍ）の最大６０％、有利には最大３０％を有している、請求項１記載のアウトソール。
【請求項３】
一体成形されたスタッド（５）のベース（６）が、縦長の横断面、特に楕円形状に類似の横断面を有している、請求項１または２記載のアウトソール。
【請求項４】
フロントソール領域（３）に設けられた、ソールエッジ領域（１２）に一体成形されたスタッド（５）の長手方向軸線（９）が、ソールエッジ（１２）の方向で延びている、請求項１から３までのいずれか１項記載のアウトソール。
【請求項５】
ヒール領域（４）に設けられた、ソールエッジ領域（１２）に一体成形されたスタッド（５）の長手方向軸線（９）が、ソールエッジ（１２）の方向に対して横方向に延びている、請求項１から４までのいずれか１項記載のアウトソール。
【請求項６】
ソールエッジ領域（１２）に設けられたスタッド（５）によって取り囲まれた１つまたはそれ以上の内側のスタッド（５’’’）のベース（６）の長手方向軸線（９）が、ソール長手方向軸線（１０）の方向に延びている、請求項１から５までのいずれか１項記載のアウトソール。
【請求項７】
フロントソール領域（３）のソールエッジ領域（１２）に設けられたスタッド（５）の高さが、ヒール領域（４）のソールエッジ領域（１２）に設けられた、高さに関して減じられていないスタッド（５’’）の高さよりも小さく寸法設定されている、請求項１から６までのいずれか１項記載のアウトソール。
【請求項８】
フロントソール領域（３）に内側のスタッド（５’’’）が配置されており、該スタッド（５’’’）が、ソールエッジ領域（１２）に設けられたスタッド（５）によって取り囲まれており、内側のスタッド（５’’’）の高さが、ソールエッジ領域（１２）に設けられたスタッド（５）の高さよりも小さく寸法設定されている、請求項１から７までのいずれか１項記載のアウトソール。
【請求項９】
中間のフロントソール領域（３）に３つまたはそれ以上のスタッド（５’’’）が、ソール幅（１１）にわたって相並んで配置されている、請求項８記載のアウトソール。
【請求項１０】
相並んで配置されたスタッド（５’’’）が、ソール長手方向軸線（１０）に関して互いにずらされて配置されている、請求項８または９記載のアウトソール。
【請求項１１】
スタッド（５）のスタッド接地面（７）が、ソールエッジからソール長手方向軸線（１０）に向かって、減少するスタッド高さを備えて延びている、請求項１から１０までのいずれか１項記載のアウトソール。
【発明の詳細な説明】
【技術分野】
【０００１】
本発明は、スポーツシューズ、特にフットボールシューズのためのアウトソールであって、フロントソール領域およびヒール領域に一体成形されたスタッドが設けられており、該スタッドが、そのベースから接地面に向かって円錐形に先細りにされて延びている形式のものに関する。
【０００２】
冒頭で述べた形式のアウトソールは、ドイツ連邦共和国特許出願公開第３７０３９３２号明細書に基づき公知である。この場合、公知のソールには、このソールも製作される共通の射出成形プロセスによって複数のスタッドが一体成形されている。これらのスタッドはソールのベースジオメトリから通常は張り出している。このようなスタッドによって、特に硬質の地面に対して良好なグリップ特性を有するスポーツシューズが得られる。
ドイツ連邦共和国特許出願公開第２４５４２４１号明細書に基づき、ヒール領域に、いわゆる「スリップ防護異形体」を有するスポーツシューズが公知である。このためには、シューズの、ヒールを取り囲むように上方に曲げ返されたソールがスリップ防護スパイクを装備していることが提案されている。このスリップ防護スパイクはスパイクの高さに比べて、その高さに関して減じられている。これによって、シューズの着用者が開張ステップを実施したいかもしくは実施しなければならない場合にシューズが地面において、改善されたグリップを有していることが達成される。
【０００３】
アメリカ合衆国特許第３９８８８４０号明細書には、地面での特に良好な牽引によって特徴付けられたスポーツシューズのためのソールが開示されている。この場合、ソールエッジ領域にソールの全周にわたって延びるように複数のスタッドが配置されていることが提案されている。これらのスタッドは全てその高さに関して、ソールの「内側領域」に位置するスタッドに対して相対的に減じられている。
アメリカ合衆国特許第４３２７５０３号明細書に基づき、スタッドが装着されたソールを備えたスポーツシューズが公知である。この場合、より大きな高さを備えたスタッドだけでなく、減じられた高さを備えたスタッドも使用されていることが提案されている。
この場合、特に中硬質の地面、たとえば凍結した地面では、この地面に対する足の不都合なほど困難な接地が生ぜしめられることが欠点であると分かった。さらに、このような地面では起立安全性がより僅かとなる。なぜならば、「竹馬効果（Ｓｔｅｌｚｅｎｅｆｆｅｋｔ）」が生ぜしめられるからである。足起立面は少なくともスタッドの高さだけ地面の上方に位置している。
【０００４】
したがって、本発明の課題は、冒頭で述べた形式のスポーツシューズを改良して、中硬質の地面でも、この地面に対する接地時の足のより良好なスムーズな踏込みが生ぜしめられるようにすることである。さらに、「竹馬効果」が低減され、これによって、地面に対する足のより確実な接地が可能となることが望ましい。
【０００５】
この課題を解決するために本発明の構成では、ヒール領域のソールエッジ領域に設けられた少なくとも１つのスタッドの高さが、ヒール領域のソールエッジ領域に設けられた別のスタッドの平均的な高さに比べて減じられており、ヒール領域の終端領域を規定する仮想円の３０゜〜１３５゜、有利には６０゜〜１２０゜の角度範囲内にある、ヒール領域のソールエッジ領域に設けられた全てのスタッドが、高さに関して減じられており、スポーツシューズが地面に位置している場合に、高さに関して減じられたスタッドが、地面に向けられているようにした。
【０００６】
これによって、特に地面に対するシューズの、改善されたスムーズな踏込みが生ぜしめられる。さらに、「竹馬効果」が低減される。
【０００７】
この場合、高さに関して減じられたスタッドが、高さに関して減じられていないスタッドの平均的な高さの最大６０％、有利には最大３０％を有していると有利である。一体成形されたスタッドのベースが、縦長の横断面、特に楕円形状に類似の横断面を有していてよい。
【０００８】
別の有利な構成は従属請求項に記載してある。
【０００９】
スポーツシューズのアウトソールの、提案された構成によって、特に中硬質の地面に対する使用時に以下の利点が達成される。
【００１０】
・地面に対する足の接地時に地面に対するシューズのヒール領域のより良好なスムーズな踏込みが生ぜしめられる。
【００１１】
・「竹馬効果」が低減され、これによって、改善された起立安全性が得られる。
【００１２】
・地面に対するコントロールされたより良好な接地が可能となる。
【００１３】
・特に地面に対するシューズの接地時の不自然なもしくは有害な傾げ（かしげ）が、高さに関して減じられたスタッドによって回避され、これによって、起立安全性が低減されることなしに、足をより良好に地面で進行させることができる。これによって、地面での足のより自然な進行が可能となる。
【００１４】
・スムーズな接地を生ぜしめることができ、これによって、足がより少ない負荷にさらされている。
【００１５】
以下に、本発明の実施例を図面につき詳しく説明する。
【００１６】
図１には、左足用のスポーツシューズ２を側面図で見ることができる。このスポーツシューズ２は、「表底」とも呼ばれるアウトソール１を有している。このアウトソール１の下面には多数の突起、つまり、スタッド５，５′，５′′，５′′′が配置されている。これらのスタッド５，５′，５′′，５′′′は共通の射出成形プロセスでアウトソール１の射出成形時に射出成形されている、すなわち、アウトソール１に一体成形されている。
【００１７】
スタッド５，５′，５′′，５′′′もしくはスタッド５，５′，５′′，５′′′の一部は、アウトソール１のフロントソール領域３だけでなくヒール領域４にも配置されている。スタッド５，５′，５′′，５′′′はベース６を有している。このベース６からスタッド５，５′，５′′，５′′′は円錐形に先細りにされてスタッド接地面７にまで延びている。
【００１８】
図３に見ることができるように、横断面図で見て、スタッド５，５′，５′′，５′′′ならびにスタッドベース６も縦長の形状、有利には楕円形状またはほぼ楕円形状を有している。フロントソール領域３では、スタッド５がソールエッジ領域１２に沿って配置されている。スタッド５の長手方向軸線９はソールエッジ領域１２の方向で延びている。これに対して、ヒール領域４では、スタッド長手方向軸線９がソールエッジ領域１２の方向に対して少なくともほぼ横方向に延びるように、スタッド５がソールエッジ領域１２に配置されている。
【００１９】
全体的にソール幅１１を有するアウトソール１はフロントソール領域３に内側のスタッド５′′′も備えている。このスタッド５′′′は、ソールエッジ領域１２に設けられたスタッド５によって取り囲まれていて、本実施例では、スタッド５′′′の長手方向軸線９がソール長手方向軸線１０の方向に延びるように配置されている。
【００２０】
図２から最も良く見ることができるように、本発明によれば、ヒール領域４のソールエッジ領域１２に設けられた幾つかのスタッド５′が、別のスタッド５′′の平均的な高さｈｎｏｒｍに比べて、減じられた高さｈｒｅｄを有している。本実施例では、３つのスタッド５′がその高さに関して減じられている。
【００２１】
ヒール領域４の終端領域に対して仕切り円８（図３参照）が規定されている場合には、有利には６０゜〜１２０゜にある角度範囲α内で全てのスタッド５′がその高さに関して減じられているということを言及することができる。
【００２２】
この場合、スタッド５′の高さの減少は、通常の高さを備えた残りのスタッド５′′が平均的に有する高さの最大３０％しかスタッド５′が有していないように行われている。
【００２３】
この場合、フロントソール領域３のソールエッジ領域１２に設けられたスタッド５の高さは、ヒール領域４のソールエッジ領域１２に設けられた、高さに関して減じられていないスタッド５′′の高さよりも小さく寸法設定されている。
【００２４】
フロントソール領域３に設けられた内側のスタッド５′′′は、ソールエッジ領域１２に設けられた、高さに関して減じられていないスタッド５の高さよりも小さく寸法設定されたスタッド高さを有している。
【００２５】
提案された構成によって、特に中硬質の地面に対するスポーツシューズ、特にフットボールシューズの接地特性が改善されることが達成される。
【図面の簡単な説明】
【００２６】
【図１】スポーツシューズの概略的な側面図である。
【００２７】
【図２】スポーツシューズのヒール領域の側面図の一部を拡大して示す図である。
【００２８】
【図３】（下方から見た）アウトソールの平面図である。
【符号の説明】
【００２９】
１  アウトソール、  ２  スポーツシューズ、  ３  フロントソール領域、  ４  ヒール領域、  ５，５′，５′′，５′′′  スタッド、  ６  ベース、  ７  スタッド接地面、  ８  仕切り円、  ９  スタッド長手方向軸線、  １０  ソール長手方向軸線、  １１  ソール幅、  １２  ソールエッジ領域、  ｈｎｏｒｍ  高さ、  ｈｒｅｄ  高さ、  α  角度範囲
【図１】
0004478447.tif 000002
【図２】
0004478447.tif 000003
【図３】
0004478447.tif 000004